(57)【特許請求の範囲】
【請求項１】
血液浄化膜を備えた血液浄化器と、
採血部の血液を前記血液浄化器の血液浄化膜の一次側に送り当該血液浄化器の血液浄化膜の一次側から返血部に戻す血液回路と、
透析液を前記血液浄化器の血液浄化膜の二次側に供給する透析液供給回路と、
透析液を前記血液浄化器の血液浄化膜の二次側から排出する透析液排出回路と、を有し、
前記透析液供給回路は、複数のフィルタを備え、当該複数のフィルタを通って前記透析液が前記血液浄化器に通じる第１の流路と、前記第１の流路よりも少ない数のフィルタを備え、当該フィルタを通って前記透析液が前記血液浄化器に通じる第２の流路と、を有し、前記第１の流路と前記第２の流路を切り替え可能に構成されている、血液浄化装置。
【請求項２】
前記血液浄化器の血液浄化膜の二次側に供給された透析液の一部または全部を前記血液浄化膜を通じて一次側に供給する逆濾過処理を行う場合には、前記第１の流路を通じて透析液を前記血液浄化器に供給し、前記逆濾過処理を行わない場合には、前記第２の流路を通じて透析液を前記血液浄化器に供給するように、前記第１の流路と前記第２の流路を切り替える切り替え手段を有する、請求項１に記載の血液浄化装置。
【請求項３】
前記第１の流路における前記複数のフィルタの下流側と前記血液回路とを接続する補液回路をさらに有し、
前記透析液供給回路は、前記第１の流路を通じて透析液を前記補液回路に供給可能に構成されている、請求項１又は２に記載の血液浄化装置。
【請求項４】
前記補液回路と前記透析液排出回路とを接続する接続回路をさらに有し、
前記補液回路の前記第１の流路との接続と前記透析液排出回路との接続とが切り替え可能に構成されている、請求項３に記載の血液浄化装置。
【請求項５】
前記第１の流路と前記第２の流路の一部のフィルタが共通している、請求項１〜４のいずれかに記載の血液浄化装置。
【請求項６】
前記共通のフィルタは、他のフィルタよりも上流側に設けられている、請求項５に記載の血液浄化装置。
【請求項７】
最も上流のフィルタに供給される透析液の流量が700mL/min未満の場合には、透析液を前記第１の流路に流通させ、前記流量が700mL/min以上の場合には、透析液を前記第２の流路を流通させる、請求項１〜６のいずれかに記載の血液浄化装置。
【請求項８】
血液浄化装置のプライミングを行う方法であって、
血液回路の採血部と返血部を接続し血液回路を環状にした状態で、透析液供給回路において透析液をフィルタを通して血液浄化器の血液浄化膜の二次側に供給し、当該透析液を前記血液浄化膜を通じて一次側に流出させ、当該一次側を含む血液回路の透析液を透析液排出回路に排出する工程を有し、
前記工程の透析液供給回路において透析液が通過するフィルタの数が、血液浄化処理時の透析液供給回路において透析液が通過するフィルタの数よりも多くなっている、プライミング方法。
【発明の詳細な説明】
【技術分野】
【０００１】
本発明は、血液浄化装置及びプライミング方法に関する。
【背景技術】
【０００２】
例えば血液透析などの血液浄化治療を行う血液浄化装置は、中空糸膜などの血液浄化膜を有する血液浄化器を備えている。血液浄化装置は、血液ポンプにより患者の血液を血液浄化器に送り血液浄化器から患者に戻す血液回路と、透析液を血液浄化器の血液浄化膜の二次側に供給する透析液供給回路と、透析液を血液浄化器の血液浄化膜の二次側から排出する透析液排出回路を備えている。この血液浄化装置では、血液回路において血液を体外循環させ、血液浄化器において血液浄化膜の一次側を流れる血液から、血液浄化膜の二次側を流れる透析液内に血液中の不要成分を排出して血液を浄化している（特許文献１、２参照）。
【先行技術文献】
【特許文献】
【０００３】
【特許文献１】特許第５４３１１９９号公報
【特許文献２】特許第５３９９２１８号公報
【発明の概要】
【発明が解決しようとする課題】
【０００４】
ところで、上述の血液浄化装置において、透析液供給回路の透析液を、治療前に回路を洗浄するためのプライミング液や、治療中に行う患者への補液として、血液浄化膜を介して血液回路に供給することが考えられている（逆濾過処理）。かかる場合、透析液が血液回路から患者の体内に入る可能性があるため、血液浄化器に通じる透析液供給回路に、透析液を浄化するためのフィルタを単一故障を想定して、バクアップのために複数配置することを考えている。
【０００５】
しかしながら、透析液供給回路に複数のフィルタを配置した場合、当該回路の圧力損失が大きくなるため、通常の透析治療時に高流量の透析液を血液浄化器に供給できない恐れがある。
【０００６】
本出願はかかる点に鑑みてなされたものであり、透析液供給回路に単一故障を想定して複数のフィルタを配置しつつ、高流量の透析液を流すことができる血液浄化装置及びプライミング方法を提供することをその目的とする。
【課題を解決するための手段】
【０００７】
上記目的を達成するための本発明には、血液浄化膜を備えた血液浄化器と、採血部の血液を前記血液浄化器の血液浄化膜の一次側に送り当該血液浄化器の血液浄化膜の一次側から返血部に戻す血液回路と、透析液を前記血液浄化器の血液浄化膜の二次側に供給する透析液供給回路と、透析液を前記血液浄化器の血液浄化膜の二次側から排出する透析液排出回路と、を有し、前記透析液供給回路は、複数のフィルタを備え、当該複数のフィルタを通って前記透析液が前記血液浄化器に通じる第１の流路と、前記第１の流路よりも少ない数のフィルタを備え、当該フィルタを通って前記透析液が前記血液浄化器に通じる第２の流路と、を有し、前記第１の流路と前記第２の流路を切り替え可能に構成されている、血液浄化装置が含まれる。
【０００８】
上記血液浄化装置は、前記血液浄化器の血液浄化膜の二次側に供給された透析液の一部または全部を前記血液浄化膜を通じて一次側に供給する逆濾過処理を行う場合には、前記第１の流路を通じて透析液を前記血液浄化器に供給し、前記逆濾過処理を行わない場合には、前記第２の流路を通じて透析液を前記血液浄化器に供給するように、前記第１の流路と前記第２の流路を切り替える切り替え手段を有していてもよい。
【０００９】
上記血液浄化装置は、前記第１の流路における前記複数のフィルタの下流側と前記血液回路とを接続する補液回路をさらに有し、前記透析液供給回路は、前記第１の流路を通じて透析液を前記補液回路に供給可能に構成されていてもよい。
【００１０】
上記血液浄化装置は、前記補液回路と前記透析液排出回路とを接続する接続回路をさらに有し、前記補液回路の前記第１の流路との接続と前記透析液排出回路との接続とが切り替え可能に構成されていてもよい。
【００１１】
前記第１の流路と前記第２の流路の一部のフィルタが共通していてもよい。
【００１２】
前記共通のフィルタは、他のフィルタよりも上流側に設けられていてもよい。
【００１３】
最も上流のフィルタに供給される透析液の流量が700mL/min未満の場合には、透析液を前記第１の流路に流通させ、前記流量が700mL/min以上の場合には、透析液を前記第２の流路を流通させるようにしてもよい。
【００１４】
別の観点による本発明には、血液浄化装置のプライミングを行う方法であって、血液回路の採血部と返血部を接続し血液回路を環状にした状態で、透析液供給回路において透析液をフィルタを通して血液浄化器の血液浄化膜の二次側に供給し、当該透析液を前記血液浄化膜を通じて一次側に流出させ、当該一次側を含む血液回路の透析液を透析液排出回路に排出する工程を有し、前記工程の透析液供給回路において透析液が通過するフィルタの数が、血液浄化処理時の透析液供給回路において透析液が通過するフィルタの数よりも多くなっている、プライミング方法が含まれる。
【発明の効果】
【００１５】
本発明によれば、透析液供給回路に単一故障を想定して複数のフィルタを配置しつつ、高流量の透析液を流すことができる。
【図面の簡単な説明】
【００１６】
【図１】血液浄化装置の構成の概略を示す説明図である。
【図２】プライミング時の血液浄化装置の状態を示す説明図である。
【図３】血液浄化処理時の血液浄化装置の状態を示す説明図である。
【図４】他の血液浄化処理時の血液浄化装置の状態を示す説明図である。
【図５】第２の透析液供給回路の他の構成を示す説明図である。
【発明を実施するための形態】
【００１７】
以下、図面を参照して、本発明の好ましい実施の形態の一例について説明する。なお、図面の上下左右等の位置関係は、特に断らない限り、図面に示す位置関係に基づくものとする。図面の寸法比率は、図示の比率に限定されるものではない。さらに、以下の実施の形態は、本発明を説明するための例示であり、本発明をその実施の形態のみに限定する趣旨ではない。また、本発明は、その要旨を逸脱しない限り、さまざまな変形が可能である。
【００１８】
図１は、本実施の形態に係る血液浄化装置１の構成の概略を示す説明図である。血液浄化装置１は、例えば血液回路１０と、透析液回路１１と、補液・プライミング回路１２と、制御装置１３を有している。
【００１９】
血液回路１０は、例えば採血部２１と血液浄化器２０とを接続する採血回路２２と、血液浄化器２０と返血部２３とを接続する返血回路２４を有している。
【００２０】
血液浄化器２０は、円柱状のモジュール内に中空糸膜などからなる血液浄化膜３０を有している。血液浄化器２０は、血液浄化膜３０の一次側（血液側）に通じる入口部２０ａ及び出口部２０ｂと、血液浄化膜３０の二次側（透析液側）に通じる入口部２０ｃ及び出口部２０ｄを有している。
【００２１】
採血回路２２は、軟質のチューブで構成され、血液浄化器２０の入口部２０ａに接続されている。採血回路２２には、血液ポンプ４０とドリップチャンバ４１が設けられている。血液ポンプ４０には、例えば正・逆回転可能なものが用いられている。血液ポンプ４０には、例えば流量範囲が０〜６００ｍＬ/ｍｉｎ程度で、１回転当たり約１０ｍＬ程度のチュービングポンプが用いられる。
【００２２】
返血回路２４は、例えば軟質のチューブで構成され、血液浄化器２０の出口部２０ｂに接続されている。返血回路２４には、例えばドリップチャンバや圧力センサ（図示せず）が設けられている。
【００２３】
採血部２１と返血部２３は、例えば互いに連結可能であり、血液回路１０を閉鎖された循環回路にすることができる。
【００２４】
透析液回路１１は、例えば定量ポンプ７０を備えている。定量ポンプ７０は、一定容積の本体内で変位自在は隔壁８０を有している。定量ポンプ７０内は、隔壁８０によって透析液供給室８１と透析液排出室８２に分けられている。
【００２５】
透析液回路１１は、例えば図示しない透析液供給源から定量ポンプ７０の透析液供給室８１に通じる第１の透析液供給回路９０と、定量ポンプ７０の透析液供給室８１から血液浄化器２０の二次側の入口部２０ｃに通じる第２の透析液供給回路９１を有している。また透析液回路１１は、血液浄化器２０の二次側の出口部２０ｄから定量ポンプ７０の透析液排出室８２に通じる第１の透析液排出回路９２と、定量ポンプ７０の透析液排出室８２から装置外部に通じる第２の透析液排出回路９３を有している。これらの第１の透析液供給回路９０、第２の透析液供給回路９１、第１の透析液排出回路９２及び第２の透析液排出回路９３は、例えば軟質のチューブにより構成されている。
【００２６】
第１の透析液供給回路９０には、例えば上流側から順に透析液供給ポンプ１００や開閉バルブ１０１が設けられている。透析液供給ポンプ１００には、例えば流量範囲が０〜１５００ｍＬ/ｍｉｎ程度で吐出圧により流量変動するギアポンプが用いられる。
【００２７】
第２の透析液供給回路９１は、複数、例えば二つのフィルタ１１０、１１１を有する第１の流路１１２と、第１の流路１１２よりも少ない数の例えば一つのフィルタ１１０を有する第２の流路１１３を備えている。第１の流路１１２と第２の流路１１３の最上流のフィルタ１１０は共通している。すなわち、第１の流路１１２は、定量ポンプ７０から第１のフィルタ１１０を通り、さらに第２のフィルタ１１１を通って血液浄化器２０に通じており、第２の流路１１３は、定量ポンプ７０から第１のフィルタ１１０を通り、直接血液浄化器２０に通じている。
【００２８】
フィルタ１１０、１１１は、例えば中空糸モジュールであり、透析液に含まれるエンドトキシンなどの不要物質を除去し、透析液を浄化できる。
【００２９】
第１のフィルタ１１０と定量ポンプ７０との間には、開閉バルブ１１４が設けられている。第１の流路１１２における第１のフィルタ１１０と血液浄化器２０との間には、開閉バルブ１１５が設けられ、第２の流路１１３における第２のフィルタ１１１と血液浄化器２０との間には、開閉バルブ１１６が設けられている。これらの開閉バルブ１１５、１１６が、切り替え装置を構成し、第１の流路１１２と第２の流路１１３を切り替え可能にしている。第１の流路１１２の開閉バルブ１１５の下流側と第２の流路１１３の開閉バルブ１１６の下流側は、合流し共通の流路を通じて血液浄化器２０に接続されている。
【００３０】
第１の透析液排出回路９２には、例えば上流側から順に開閉バルブ１２０、排液ポンプ１２２及び開閉バルブ１２３が設けられている。
【００３１】
第２の透析液排出回路９３には、例えば開閉バルブ１３０が設けられている。
【００３２】
透析液回路１１は、第１の透析液排出回路９２と第２の透析液排出回路９３とを定量ポンプ７０を介さずに直接接続する除水回路１４０を有している。除水回路１４０は、例えば除水ポンプ１４１を備えた第１の回路１４２と、開閉バルブ１４３を備えた第２の回路１４４を有している。第１の回路１４２と第２の回路１４４は、並列的に接続されている。除水ポンプ１４１には、例えば流量範囲が０〜９０ｍＬ/ｍｉｎ程度で、１ストローク当たり０．５〜１．０ｍＬ程度のピストンポンプが用いられる。
【００３３】
補液・プライミング回路１２は、第１の流路１１２における第２のフィルタ１１１と開閉バルブ１１５との間から採血回路２２のドリップチャンバ４１に通じる補液回路１５０と、補液回路１５０と第１の透析液排出回路９２とを接続する接続回路１５１を備えている。補液回路１５０と接続回路１５１は、例えば軟質のチューブにより構成されている。
【００３４】
補液回路１５０には、正・逆回転可能な補液ポンプ１６０が設けられている。補液ポンプ１６０には、例えば流量範囲が０〜６００ｍＬ/ｍｉｎ程度で、１回転当たり１０ｍＬ程度のチュービングポンプが用いられる。また補液回路１５０には、開閉バルブ１６１が設けられている。
【００３５】
接続回路１５１は、補液回路１５０の補液ポンプ１６０と開閉バルブ１６１との間から第１の透析液排出回路９２に通じている。接続回路１５１には、開閉バルブ１７０が設けられている。本実施の形態では、開閉バルブ１６１と開閉バルブ１７０が、補液回路１５０の第１の流路１１２との接続と第１の透析液排出回路９２との接続とを切り替え可能とし、切り替え装置を構成している。
【００３６】
制御装置１３は、例えば血液透析装置１の全体の動作を制御するコンピュータであり、例えばポンプ４０、１００、１２２、１４１、１６０、バルブ１０１、１１４、１１５、１１６、１２０、１２３、１３０、１４３、１６１、１７０等の動作を制御して、後述のプライミングや血液浄化処理を実行するように血液浄化装置１を作動させることができる。例えば制御装置１３は、プログラムを実行して、血液浄化器２０の血液浄化膜３０の二次側に供給された透析液の一部または全部を血液浄化膜３０を通じて一次側に供給する逆濾過処理を行う場合には、開閉バルブ１１５、１１６を制御して、第１の流路１１２を通じて透析液を血液浄化器２０に供給し、逆濾過処理を行わない場合には、開閉バルブ１１５、１１６を制御して、第２の流路１１３を通じて透析液を血液浄化器２０に供給するように、第１の流路１１２と第２の流路１１３を切り替える。本実施の形態では、例えば開閉バルブ１１５、１１６及び制御装置１３が切り替え手段を構成している。
【００３７】
次に、以上のように構成された血液浄化装置１で行われる、逆濾過処理であるプライミングについて説明する。
【００３８】
プライミングでは、図２に示すように血液回路１０において採血部２１と返血部２３が接続され、透析液回路１１において開閉バルブ１１４、１１５、１２０、１２３、１７０が開放され、開閉バルブ１０１、１１６、１３０、１４３、１６１が閉鎖される。送液ポンプ１２２が作動し、補液ポンプ１６０が逆回転方向（第１の透析液排出回路９２の方向）に作動し、血液ポンプ４０が正回転方向（血液浄化器２０の方向）に作動する。これにより、定量ポンプ７０の透析液供給室８１の透析液が、第２の透析液供給回路９１の第１の流路１１２を通り、血液浄化器２０の血液浄化膜３０の二次側に供給される。すなわち、透析液は、第１のフィルタ１１０と第２のフィルタ１１１の２つのフィルタを通って血液浄化膜３０の二次側に供給される。血液浄化膜３０の二次側に供給された透析液は、一部が送液ポンプ１２２により直接第１の透析液排出回路９２に流れ込み、定量ポンプ７０の透析液排出室８２に排出される。また、血液浄化膜３０の二次側の残りの透析液は、補液ポンプ１６０により生じる血液回路１０側の陰圧により、血液浄化膜３０の一次側に流れ込み（逆濾過処理）、血液ポンプ４０で分流され血液回路１０内を流れる。血液回路１０の透析液は、補液ポンプ１６０により補液回路１５０に流れ込み、接続回路１５１を通って第１の透析液排出回路９２に流れ込み、定量ポンプ７０の透析液排出室８２に排出される。こうして、血液回路１０、透析液回路１１及び補液・プライミング回路１２内が新しい透析液によって置換及び洗浄され、またこれらの回路内の気泡が除去される。
【００３９】
次に、血液浄化装置１で行われる、逆濾過処理を行わない血液浄化処理について説明する。
【００４０】
先ず、図３に示すように採血部２１と返血部２３に不図示の穿刺針が接続され、患者に穿刺される。次に、透析液回路１１の開閉バルブ１１４、１１６、１２０、１２３、１６１が開放され、開閉バルブ１０１、１１５、１３０、１４３、１５１が閉鎖される。送液ポンプ１２２が作動し、補液ポンプ１６０が正回転方向（血液回路１０の方向）に作動し、血液ポンプ４０が正回転方向（血液浄化器２０の方向）に作動する。これにより、血液回路１０では、患者の血液が採血回路２２を通じて血液浄化器２０の血液浄化膜３０の一次側に送られ、血液浄化膜３０の一次側を通過した血液が返血回路２４を通じて患者に戻される。
【００４１】
透析液回路１１では、定量ポンプ７０の透析液供給室８１の透析液が第２の透析液供給回路９１の第２の流路１１３を通じて血液浄化器２０の血液浄化膜３０の二次側に供給される。すなわち、第２の透析液供給回路９１の透析液は、第１のフィルタ１１０のみを通って血液浄化膜３０の二次側に供給される。血液浄化膜３０の二次側を通過した透析液は、第１の透析液排出回路９２を通じて定量ポンプ７０の透析液排出室８２に排出される。なお、定量ポンプ７０では、隔壁８０が移動し、透析液供給室８１の透析液がなくなると、開閉バルブ１０１、１３０が開放され、開閉バルブ１１４、１２３が閉鎖され、透析液供給ポンプ１００により、新しい透析液が第１の透析液供給回路９０を通じて透析液供給室８１に補充される。この際、透析液排出室８２の透析液は、第２の透析液排出回路９３を通じて排出される。
【００４２】
こうして、血液浄化器２０では、血液浄化膜３０の一次側に血液が流れ、二次側に透析液が流れることで、血液浄化膜３０を介して血液中の老廃物が透析液側に排出され、血液が浄化される。
【００４３】
また定量ポンプ７０の一部の透析液は、第１の流路１１２側に流れ込み、第１のフィルタ１１０と第２のフィルタ１１１を通過し、補液ポンプ１６０により補液回路１５０を通って血液回路１０に供給される。これにより、患者に補液が行われる。
【００４４】
さらに除水回路１４０では、除水ポンプ１４１が作動し、開閉バルブ１４３が閉鎖され、第１の透析液排出回路９２の一部の透析液が除水回路１４０を通じて定量ポンプ７０を介さずに第２の透析液排出回路９３に排出される。このときの除水回路１４０を通る透析液の量は、血液から除水される患者の除水量に応じて調整される。
【００４５】
本実施の形態によれば、第２の透析液供給回路９１は、二つのフィルタ１１０、１１１を備えた第１の流路１１２と、第１の流路１１２よりも少ない数の一つフィルタ１１０を備えた第２の流路１１３と、を有し、第１の流路１１２と第２の流路１１３を切り替え可能としたので、透析液が患者の体内に入る可能性がある血液回路１０側に血液浄化器２０の血液浄化膜３０を介して透析液を供給する場合に、バックアップとなる複数のフィルタのある第１の流路１１２を用いて透析液を流し、透析液を血液浄化膜３０を介して血液回路１０側に供給しない場合に、フィルタの数が少なく圧力損失が小さい第２の流路１１３を用いて透析液を流すことができる。よって、第２の透析液供給回路９１に単一故障を想定して複数のフィルタ１１０、１１１を配置しつつ、高流量の透析液を流すことができる。
【００４６】
本実施の形態では、血液浄化装置１は、血液浄化器２０の血液浄化膜３０の二次側に供給された透析液の一部または全部を血液浄化膜３０を通じて一次側に供給する逆濾過処理であるプライミング時には、第１の流路１１２を通じて透析液を血液浄化器２０に供給し、逆濾過処理を行わない透析処理時には、第２の流路１１３を通じて透析液を血液浄化器２０に供給するように、第１の流路１１２と第２の流路１１３を切り替える切り替え手段を有している。このため、フィルタのバックアップが必要な逆濾過処理と、フィルタのバックアップが不要な逆濾過処理を行わない場合とで、第１の流路１１２と第２の流路１１３の切り替えを適切に行うことができる。
【００４７】
血液浄化装置１は、第１の流路１１２における複数のフィルタ１１０、１１１の下流側と血液回路１０とを接続する補液回路１５０を有し、第２の透析液供給回路９１は、透析液を第１の流路１１２を通じて補液回路１５０に供給可能に構成されているので、血液回路１０に血液浄化膜３０を介さずに補液として供給される透析液を複数のフィルタ１１０、１１１に通すことができる。よって、血液浄化膜３０を介さずに血液回路１０に供給される補液についても、単一故障を想定した回路を用いることができる。
【００４８】
血液浄化装置１は、補液回路１５０と第１の透析液排出回路９２とを接続する接続回路１５１を有し、補液回路１５０の第１の流路１１２との接続と第１の透析液排出回路９２との接続とが切り替え可能に構成されているので、血液回路１０の透析液を補液回路１５０を介して第１の透析液排出回路９２に排出することができる。よって、逆濾過処理を用いたプライミングを適切に行うことができる。
【００４９】
また、第１の流路１１２と第２の流路１１３の第１のフィルタ１１０が共通しているので、第２の透析液供給回路９１に二つの流路１１２、１１３を設けても、フィルタの数の増加を抑制できる。
【００５０】
また、共通のフィルタ１１０が他のフィルタ１１１よりも上流側に設けられているので、例えば第１の流路１１２と第２の流路１１３に透析液を同時に流し、それぞれを流れた透析液を用途に応じて別の回路に流すことができる。つまり、本実施の形態のように、透析処理時に、一つのフィルタを通過した透析液を血液浄化器２０に供給しつつ、二つのフィルタを通過した透析液を補液として血液回路１０に供給することができる。
【００５１】
本実施の形態におけるプライミングでは、第２の透析液供給回路９１において透析液が通過するフィルタの数（二つ）が、血液浄化処理時の第２の透析液供給回路９１において透析液が通過するフィルタの数（一つ）よりも多くなっているので、逆濾過処理であるプライミングにおいて血液回路１０に供給される透析液についてフィルタの単一故障を保障しつつ、血液浄化処理においてフィルタの数が少なく高流量の透析液を確保することができる。
【００５２】
上記実施の形態で記載した血液浄化装置１において、最も上流のフィルタに供給される透析液の流量が700mL/min未満の場合には、透析液を第１の流路１１２に流通させ、前記流量が700mL/min以上の場合には、透析液を第２の流路１１３を流通させるようにしてもよい。
【００５３】
例えば血液浄化処理において、第１のフィルタ１１０に供給される透析液の流量が700mL/min以上の場合には、上述の図３で示したように透析液回路１１の開閉バルブ１１４、１１６、１２０、１２３、１６１が開放され、開閉バルブ１１５、１７０が閉鎖された状態で、送液ポンプ１２２、補液ポンプ１６０が作動する。これにより、定量ポンプ７０の透析液供給室８１の透析液が第２の透析液供給回路９１の第２の流路１１３を通じて血液浄化器２０に供給される。また、一部の透析液は、補液回路１５０を通じて血液回路１０に補液される。かかる例において、血液浄化器２０に供給される透析液は、第２の流路１１３を流れるので、流量低下を起こさずに所望の高流量の透析液が確保される。
【００５４】
一方、図４に示すように第１のフィルタ１１０に供給される透析液の流量が700mL/min未満の場合には、透析液回路１１の開閉バルブ１１４、１１５、１２０、１２３、１６１が開放され、開閉バルブ１１６、１７０が閉鎖された状態で、送液ポンプ１２２、補液ポンプ１６０が作動する。これにより、定量ポンプ７０の透析液供給室８１の透析液が第２の透析液供給回路９１の第１の流路１１２を通じて血液浄化器２０に供給される。また、一部の透析液は、補液回路１５０を通じて血液回路１０に補液される。かかる例において、高流量が要求されていない透析液は、第１の流路１１２を流れるので、フィルタのバックアップの流路に透析液を流すことができる。
【００５５】
以上の実施の形態では、第１の流路１１２のフィルタの数が二つ、第２の流路１１３のフィルタの数が一つであったが、第１の流路のフィルタの数が第２の流路のフィルタの数よりも多ければ、それらの数は任意に選択できる。また、第１の流路と第２の流路で、第１のフィルタを共用していたが、図５に示すように第２の透析液供給回路９１が、フィルタを共用しない並列的な第１の流路１１２及び第２の流路１１３を備えていてもよい。
【００５６】
以上の実施の形態では、プライミングにおいて逆濾過処理を行っていたが、他の処理で逆濾過処理を行い、かかる場合に透析液を第１の流路１１２を通じて血液浄化器２０に供給してもよい。この逆濾過処理を行う他の処理は、例えば第２の透析液供給回路９１から血液浄化膜３０を通じて血液回路１０に補液を行うものであってもよい。また、本発明において、逆濾過処理を行わない場合であっても、第１の流路１１２を用いて透析液を血液浄化器２０に供給する場合があってもよい。
【００５７】
以上の実施の形態で記載した血液浄化装置１の回路構成及び装置構成は、これに限られず、他の構成を有するものであってもよい。血液浄化装置１は、血液透析を行う装置のみならず、持続緩除式血液濾過などを行う装置に適用してもよい。
【００５８】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【産業上の利用可能性】
【００５９】
本発明は、透析液供給回路に単一故障を想定して複数のフィルタを配置しつつ、高流量の透析液を流す際に有用である。
【符号の説明】
【００６０】
１  血液浄化装置
１０  血液回路
１１  透析液回路
１２  補液・プライミング回路
１３  制御装置
２０  血液浄化器
３０  血液浄化膜
４０  血液ポンプ
７０  定量ポンプ
９１  第２の透析液供給回路
９２  第１の透析液排出回路
１１０  第１のフィルタ
１１１  第２のフィルタ
１１２  第１の流路
１１３  第２の流路
１１５、１１６  開閉バルブ
１５０  補液回路
１５１  接続回路
１６０  補液ポンプ
【図１】
0006513923.tif 000002
【図２】
0006513923.tif 000003
【図３】
0006513923.tif 000004
【図４】
0006513923.tif 000005
【図５】
0006513923.tif 000006